(57)【要約】【課題】枠本体に取り付けられるカバーについて、強度に優れた構造とすることができるサッシ枠を提供する。【解決手段】パネル体を支持するためのサッシ枠１０に関する。パネル体が取り付けられるパネル取付部を有する枠本体と、枠本体の見付け方向Ｘ両側の室内側面２１を覆う一対の側面カバー３０と、枠本体の見込み方向室内側の前面２３を覆う前面カバー７０と、を備える。側面カバー３０は、見込み方向Ｙに開口して設けられた差込溝３１を有する。枠本体は、差込溝３１に差し込まれる差込突出部２５を有する。【選択図】図４
2014145152.tif 000002
【特許請求の範囲】
【請求項１】
パネル体を支持するためのサッシ枠であって、
前記パネル体が取り付けられるパネル取付部を有する枠本体と、
前記枠本体の見付け方向両側の室内側面を覆う一対の側面カバーと、
前記枠本体の見込み方向室内側の前面を覆う前面カバーと、を備え、
前記側面カバーは、見込み方向に窪んで設けられた差込溝を有し、
前記枠本体は、前記差込溝に差し込まれる差込突出部を有することを特徴とするサッシ枠。
【請求項２】
前記前面カバーは、前記枠本体に対する位置を保持可能な第１の位置と、前記枠本体から取り外し可能な第２の位置との間で、前記枠本体に対して長手方向に移動可能に設けられている請求項１記載のサッシ枠。
【請求項３】
前記前面カバーは、前記第２の位置にあるときに、前記枠本体に対して見付け方向の一方に移動することにより取り外し可能であり、前記第１の位置にあるときに、前記枠本体に対して見付け方向の他方に付勢されて設けられている請求項２記載のサッシ枠。
【請求項４】
前記側面カバーは、その背面から突出して設けられた背面突出部を更に有し、
前記側面カバーの背面突出部を前記枠本体の前面との間に挟むように配置され、当該枠本体に対して固定される受け部材を更に備える請求項１から３のいずれかに記載のサッシ枠。
【請求項５】
前記側面カバーは、前記差込溝内に配置された弾性体からなる弾性部材を更に有し、
前記差込溝内の前記弾性部材に対して前記差込突出部が接触するまで差し込まれている請求項１から４のいずれかに記載のサッシ枠。
【請求項６】
前記側面カバーは、前記差込突出部が差し込まれた第１差込溝と、見込み方向に窪んで設けられた第２差込溝と、前記枠本体に対する当該側面カバーの見付け方向の位置を少なくとも保持する位置保持部材を更に有し、
前記位置保持部材は、前記第２差込溝内に差し込まれた差込部を有する請求項１から５のいずれかに記載のサッシ枠。
【発明の詳細な説明】
【技術分野】
【０００１】
本発明は、ガラス板等のパネル体を支持するために用いられるサッシ枠に関する。
【背景技術】
【０００２】
近年、カーテンウォールの方立、無目等のサッシ枠について、アルミニウム等の金属製の押出成形品を枠本体として用い、枠本体の室内側に露出する部位に集成材等からなる木製カバーを取り付ける構造が提案されている（例えば、特許文献１参照）。これにより、サッシ枠として必要な強度を金属製の枠本体により確保しつつ、木製カバーの木の質感により意匠性に優れた構造が得られる。
【先行技術文献】
【特許文献】
【０００３】
【特許文献１】特開２００５−６１１１０号
【発明の概要】
【発明が解決しようとする課題】
【０００４】
ところで、サッシ枠の意匠性を向上させるうえでは、カーテンウォールを室内側からみたときのサッシ枠の幅である見付け長さを抑え、サッシ枠をスリム化したい。このためには、枠本体に取り付けられる木製カバーについて、その見付け長さを抑えつつ、必要な強度を確保できる構造が求められる。
【０００５】
本発明は、こうした状況に鑑みてなされたものであり、その目的は、枠本体に取り付けられるカバーについて、強度に優れた構造とすることができるサッシ枠を提供することにある。
【課題を解決するための手段】
【０００６】
本発明のある態様はサッシ枠に関する。このサッシ枠は、パネル体を支持するために用いられるサッシ枠であって、パネル体が取り付けられるパネル取付部を有する枠本体と、枠本体の見付け方向両側の室内側面を覆う一対の側面カバーと、枠本体の見込み方向室内側の前面を覆う前面カバーと、を備え、側面カバーは、見込み方向に窪んで設けられた差込溝を有し、枠本体は、差込溝に差し込まれる差込突出部を有する。
【０００７】
また、前面カバーは、枠本体に対する位置を保持可能な第１の位置と、枠本体から取り外し可能な第２の位置との間で、枠本体に対して長手方向に移動可能に設けられていることが好ましい。
【０００８】
また、前面カバーは、第２の位置にあるときに、枠本体に対して見付け方向の一方に移動することにより取り外し可能であり、第１の位置にあるときに、枠本体に対して見付け方向の他方に付勢されて設けられていることが好ましい。
【０００９】
また、側面カバーは、その背面から突出して設けられた背面突出部を更に有し、側面カバーの背面突出部を枠本体の前面との間に挟むように配置され、枠本体に対して固定される受け部材を更に備えることが好ましい。
【００１０】
また、側面カバーは、差込溝内に配置された弾性体からなる弾性部材を更に有し、差込溝内の弾性部材に対して差込突出部が接触するまで差し込まれていることが好ましい。
【００１１】
また、側面カバーは、差込突出部が差し込まれた第１差込溝と、見込み方向に窪んで設けられた第２差込溝と、枠本体に対する側面カバーの見付け方向の位置を少なくとも保持する位置保持部材を更に有し、位置保持部材は、第２差込溝内に差し込まれた差込部を有することが好ましい。
【発明の効果】
【００１２】
本発明のある態様によれば、枠本体に取り付けられる側面カバーについて、強度に優れた構造とすることができる。
【図面の簡単な説明】
【００１３】
【図１】本発明の一実施形態に係るサッシ枠が用いられるカーテンウォールの構成を示す正面図である。
【図２】図１のＡ−Ａ線断面図である。
【図３】図１のＢ−Ｂ線断面図である。
【図４】本発明の一実施形態に係るサッシ枠の一部の構成を拡大して示す平面断面図である。
【図５】本発明の一実施形態に係る枠本体、受け部材、前面カバーの構成を拡大して示す平面断面図である。
【図６】本発明の一実施形態に係る枠本体から受け部材、前面カバーを取り外した状態を示す平面断面図である。
【図７】（ａ）〜（ｅ）は第２位置保持部材と受け部材との位置関係について説明するための説明図である。
【発明を実施するための形態】
【００１４】
図１は、本発明の一実施形態に係るサッシ枠１０が用いられるカーテンウォール１の構成を示す正面図であり、図２は、図１のＡ−Ａ線断面図であり、図３は、図１のＢ−Ｂ線断面図である。
【００１５】
カーテンウォール１は、図１に示すように、複数の縦枠３、横枠４を格子状に枠組みして構成された枠体２と、枠体２の開口部に取り付けられたパネル体５と、を備える。縦枠３、横枠４は、パネル体５を支持するためのサッシ枠として用いられる。縦枠３は、図２に示すように、建物の上下方向に沿って設けられ、建物の柱、梁、床等の躯体６に対して、図示しないアングル部材等を用いて固定される。横枠４は、図３に示すように、隣り合う縦枠３間に架け渡され、縦枠３に対して固定される。横枠４は、その室内面に、例えば、集成材等の木製材料からなる横枠カバー７が取り付けられる。パネル体５は、図示のような単層ガラス板の他に、複層ガラス板等から構成される。
【００１６】
本実施形態に係るサッシ枠１０は、枠体２の縦枠３に適用されている。以下の説明においては、カーテンウォール１を室内側から見たときにサッシ枠１０の幅となる方向を見付け方向Ｘとし、カーテンウォール１のパネル体５がなす面に対する法線方向を見込み方向Ｙとして説明する。
【００１７】
サッシ枠１０は、図３に示すように、枠本体１１と、一対の側面カバー３０と、受け部材５０と、前面カバー７０と、を備える。枠本体１１、受け部材５０は、例えば、アルミニウム等の金属材料から構成され、金属材料を押出成形等して得られる。側面カバー３０及び前面カバー７０は、例えば、集成材等の木製材料から構成される。
【００１８】
枠本体１１は、パネル取付部１５と、幅狭部１８と、幅広部１９とを有する。建物の躯体６に対しては枠本体１１が固定される。
【００１９】
パネル取付部１５は、パネル体５が取付けられる。枠本体１１に対するパネル体５の取付構造は特に限定するものではなく、公知の取付構造が適用されていてもよい。本実施形態において、パネル取付部１５は、枠本体１１の見付け方向Ｘに窪んだ溝から構成され、見付け方向Ｘの両側に２つ設けられる。パネル体５は、パネル取付部１５内にその周端部５ａが配置される。パネル体５の両面側にはバックアップ材、シーリング材等の弾性体１６が配置される。パネル体５は、パネル取付部１５に対して押縁１７を取り付けることにより、パネル取付部１５内で弾性体１６により挟まれた状態で保持される。
【００２０】
幅狭部１８は、枠本体１１の見込み方向Ｙの室内側に設けられ、一対の側面カバー３０及び前面カバー７０により覆われている。幅広部１９は、幅狭部１８に対して見込み方向Ｙの室外側に設けられる。幅広部１９は、その見付け方向Ｘの長さである見付け長さが、幅狭部１８の見付け長さより長く設けられる。幅広部１９は、本実施形態において、その見付け方向Ｘの両側面１９ａが、側面カバー３０及び前面カバー７０の見付け方向Ｘの側面に対して略面一に設けられる。幅広部１９の両側面１９ａは、側面カバー３０等の側面に対して見付け方向Ｘの外側に設けられてもよい。
【００２１】
これにより、カーテンウォール１の室外側からサッシ枠１０を見たときに、幅広部１９の側面１９ａから外側に側面カバー３０等が突き出して見えなくなる。建物の同フロア内でサッシ枠１０に側面カバー３０等を取り付ける部屋と取り付けない部屋とがある場合でも、カーテンウォール１の室外側からサッシ枠１０を見たときに統一した印象が与えられる。
【００２２】
枠本体１１は、本実施形態において、その見付け方向Ｘに二つに分割した一対の分割枠１１Ａ、１１Ｂから構成される。一対の分割枠１１Ａ、１１Ｂは、見付け方向Ｘの相対位置をずらしたうえで、図示しないねじ等により接続可能に構成される。枠本体１１は、その見付け長さを変更可能に構成されることになる。枠本体１１は単一の部材から構成されてもよい。
【００２３】
図４は、サッシ枠１０の一部の構成を拡大して示す平面断面図である。枠本体１１は、図４に示すように、差込突出部２５と、係止部２６とを更に有する。差込突出部２５は、枠本体１１の見付け方向Ｘ両側の室内側面２１より外側において、見込み方向Ｙの室内側に突出して設けられる。係止部２６は、枠本体１１の前面２３において、見込み方向Ｙの室内側に突出して設けられる。
【００２４】
一対の側面カバー３０は、枠本体１１の見付け方向Ｘ両側の室内側面２１を外側から覆うように配置される。前面カバー７０は、枠本体１１の見込み方向Ｙ室内側の前面２３を外側から覆うように配置される。一対の側面カバー３０及び前面カバー７０は略コ字状に配置されることになる。
【００２５】
側面カバー３０は、室外側差込溝３１と、室内側差込溝３３と、弾性部材３５と、第１位置保持部材３７と、を有する。室外側差込溝３１は、側面カバー３０の室外側端部３０ａにおいて、見込み方向Ｙの室内側に窪んで設けられる。室内側差込溝３３は、側面カバー３０の室内側端部３０ｂにおいて、見込み方向Ｙの室外側に窪んで設けられる。各差込溝３１、３３は、側面カバー３０の外面に凹みが形成されることにより、その側面カバー３０に対して一体に設けられる。室外側差込溝３１内には、枠本体１１の差込突出部２５が差し込まれる。
【００２６】
弾性部材３５は、室外側差込溝３１内に側面カバー３０の長手方向に沿って連続的又は断続的に配置される。弾性部材３５は、発泡性シリコンゴム等の弾性体からなる。枠本体１１の差込突出部２５は、弾性部材３５に対して接触するまで差し込まれ、その接触により弾性部材３５が弾性変形した状態で保持される。
【００２７】
第１位置保持部材３７は、基部３７ａと、表面突出部３７ｂと、背面突出部３７ｃと、当接部３７ｄと、を有する。第１位置保持部材３７は、アルミニウム等の金属材料を押出成形等することにより各部位が一体成形される。
【００２８】
基部３７ａは、見込み方向Ｙに延びた平板状に設けられ、側面カバー３０の背面３０ｃに対してねじ等の固定具３８により固定される。表面突出部３７ｂは、基部３７ａから見付け方向Ｘの外側に突出して設けられ、その先端部に見込み方向Ｙの室外側に突出した差込部３７ｅが設けられる。差込部３７ｅは、側面カバー３０の室内側差込溝３３内に差し込まれる。
【００２９】
背面突出部３７ｃは、枠本体１１の前面２３より見込み方向Ｙの室内側にまで延びるように、基部３７ａの背面から突出して設けられる。背面突出部３７ｃは、その先端部に室外側に突出した係合部３７ｆが設けられる。係合部３７ｆは、枠本体１１の係止部２６に対して見付け方向Ｘの内側に配置される。当接部３７ｄは、背面突出部３７ｃより見込み方向Ｙの室外側において、基部３７ａの背面から突出して設けられる。
【００３０】
以上の構成の側面カバー３０によれば、側面カバー３０の室外側端部３０ａが枠本体１１に対して見付け方向Ｘに変位したとき、室外側差込溝３１の内壁面に差込突出部２５が係合し、枠本体１１に対する側面カバー３０の見付け方向Ｘの位置が保持される。このような位置保持を可能とするため、側面カバー３０に対して別部材を取り付ける必要がない。特に、差込突出部２５と室外側差込溝３１との間に隙間３２があっても、室外側差込溝３１内の弾性部材３５の弾性復元力により、枠本体１１に対する側面カバー３０の見付け方向Ｘの位置がより強固に保持される。
【００３１】
また、側面カバー３０の室内側端部３０ｂが枠本体１１に対して見付け方向Ｘの外側に変位したとき、第１位置保持部材３７の係合部３７ｆが枠本体１１の係止部２６に対して内側から係合する。一方、見付け方向Ｘの内側に変位したとき、枠本体１１の室内側面２１に第１位置保持部材３７の当接部３７ｄが接触する。このように、第１位置保持部材３７は、枠本体１１に対する側面カバー３０の見付け方向Ｘの位置を保持するものとして設けられ、そのための構成は本実施形態のものに限定されない。
【００３２】
また、側面カバー３０に反り、捻れ等の面外方向の変形が生じたとき、室外側差込溝３１の内壁面に差込突出部２５が係合するとともに、室内側差込溝３３の内壁面に第１位置保持部材３７の差込部３７ｅが係合し、その変形が拘束される。
【００３３】
図５は、枠本体１１、受け部材５０、前面カバー７０の構成を拡大して示す平面断面図である。図５においては、側面カバー３０の一部を二点鎖線で示している。図６は、図５の枠本体１１から受け部材５０、前面カバー７０を取り外した状態を示す平面断面図である。
【００３４】
受け部材５０は、図５、図６に示すように、基部５１と、間隔保持部５２と、押さえ部５３と、係合突部５４と、を有する。基部５１は、見付け方向Ｘに延びた平板状に設けられる。基部５１は、枠本体１１と前面カバー７０との間に配置される。基部５１は、見付け方向Ｘに貫通した雌ねじ孔５１ａが形成される。枠本体１１の前面２３には見込み方向Ｙに貫通した雌ねじ孔２４が形成される。本実施形態においては、分割枠１１Ａ、１１Ｂの見付け長さの変動に対応するため、分割枠１１Ａ、１１Ｂの一方に雌ねじ孔２４が、他方に貫通孔２７が、それぞれ施工現場での加工により形成される。
【００３５】
基部５１の雌ねじ孔５１ａと枠本体１１の雌ねじ孔２４にはねじ５５がねじ込まれ、受け部材５０が枠本体１１に対して固定される。本実施形態において、ねじ５５は分割枠１１Ａ、１１Ｂの一方の雌ねじ孔２４と他方の貫通孔２７とを貫通する。受け部材５０は、枠本体１１の前面２３に間隔保持部５２が接触することにより枠本体１１との間隔が保持される。基部５１の室外側には、ねじ５５の頭部からなる突起部５６が形成される。突起部５６は、ねじ５５を用いることなく、予め基部５１に形成されていてもよい。
【００３６】
押さえ部５３は、基部５１から室外側に向けて突出して設けられる。押さえ部５３は、見付け方向Ｘに間隔を開けて設けられる。押さえ部５３は、受け部材５０が枠本体１１に対して固定されたときに、側面カバー３０の背面突出部３７ｃを枠本体１１の前面２３に向けて押さえつける。受け部材５０は、一対の側面カバー３０それぞれの背面突出部３７ｃを、枠本体１１の前面２３との間に挟むように配置されることになる。なお、受け部材５０が側面カバー３０を押さえつけることにより、図４に示すように、側面カバー３０の室外側差込溝３１内の弾性部材３５が、枠本体１１の差込突出部２５と接触して弾性変形した状態で保持される。
【００３７】
図５に戻り、係合突部５４は、基部５１から室内側に向けて突出して設けられる。係合突部５４は、見付け方向Ｘに間隔を空けて二つ設けられており、それらの先端部が見付け方向Ｘの同じ向きに突出して略Ｌ字状に形成されている。一方の係合突部５４と基部５１とにより見付け方向Ｘに窪んだ嵌合溝部５７が形成される。
【００３８】
以上の構成の受け部材５０によれば、側面カバー３０が枠本体１１に対して見込み方向Ｙに変位したとき、側面カバー３０の背面突出部３７ｃが、受け部材５０の押さえ部５３や枠本体１１の前面２３に対して係合する。これにより、枠本体１１に対する側面カバー３０の見込み方向Ｙの位置が保持されるように、枠本体１１に対して側面カバー３０が取り付けられる。特に、一つの受け部材５０を枠本体１１に対して固定することにより、一対の側面カバー３０をまとめて枠本体１１に対して取り付けることができ、施工性に優れる。
【００３９】
前面カバー７０は、その背面７０ａに取り付けられた第２位置保持部材７１を有する。第２位置保持部材７１は、基部７３と、背面突出部７５と、付勢部材７７と、を有する。基部７３は、前面カバー７０の背面７０ａに対してねじ等の固定具７４により固定され、見付け方向Ｘに延びた平板状に設けられる。
【００４０】
背面突出部７５は、基部７３の背面から室内側に向けて突出して設けられる。背面突出部７５は、見付け方向Ｘに間隔を開けて設けられた第１背面突出部７５Ａと、第２背面突出部７５Ｂとを含む。第１背面突出部７５Ａは、その見付け方向Ｘの外側面において、見込み方向Ｙに間隔を空けて設けられた一対の取付溝７８と、その先端部から見付け方向Ｘに突出した突部７９とが設けられる。第２背面突出部７５Ｂは、その先端部から見付け方向Ｘに突出した嵌合突部８１と、その先端部から嵌合突部８１と反対側の見付け方向Ｘに突出した移動規制部８２とが設けられる。
【００４１】
図７は、第２位置保持部材７１と受け部材５０との位置関係について説明するための説明図であり、（ａ）、（ｄ）はその平面断面図であり、（ｂ）、（ｃ）、（ｅ）は見込み方向Ｙの室外側から第２位置保持部材７１を見た正面図である。図７（ａ）、（ｄ）はそれぞれ図７（ｂ）、（ｅ）に対応している。図７（ｂ）、（ｃ）、（ｅ）では受け部材５０の係合突部５４と突起部５６との位置について二点鎖線で示している。
【００４２】
嵌合突部８１は、受け部材５０の嵌合溝部５７内に、枠本体１１の長手方向にスライド可能に嵌合される。嵌合溝部５７内で嵌合突部８１をスライドさせることにより、前面カバー７０が枠本体１１の長手方向に移動する。前面カバー７０を長手方向の一方に移動させたとき、その移動は、受け部材５０の突起部５６に対して第２位置保持部材７１の移動規制部８２が係合することにより規制される。この移動は、第２位置保持部材７１以外に、床面や他のサッシ枠と係合することにより規制されてもよい。
【００４３】
嵌合突部８１は、その長手方向長さが移動規制部８２より長くなるように設けられ、移動規制部８２より長手方向に突出した突出片８１ａが形成される。突出片８１ａは、移動規制部８２により前面カバー７０の移動が規制された移動規制位置にあるとき、受け部材５０の一方の係合突部５４と突起部５６との間に配置される。枠本体１１に対して前面カバー７０が見付け方向Ｘ、見込み方向Ｙに変位したとき、第２位置保持部材７１の嵌合突部８１や突出片８１ａが受け部材５０の嵌合溝部５７や突起部５６に係合する。これにより、見付け方向Ｘ及び見込み方向Ｙの位置が保持されるように、枠本体１１に対して前面カバー７０が取り付けられることになる。
【００４４】
一方、前面カバー７０は、図７（ｃ）に示すように、移動が規制される方向とは反対側の長手方向の他方に移動させたとき、枠本体１１から取り外し可能に構成されれている。具体的には、前面カバー７０を移動規制位置から長手方向に移動させて、受け部材５０の係合突部５４と突起部５６との間から、嵌合突部８１の突出片８１ａを抜き出す。これにより、図７（ｄ）、（ｅ）に示すように、前面カバー７０を見付け方向Ｘに移動させたとき、受け部材５０の嵌合溝部５７内から第２位置保持部材７１の嵌合突部８１を抜き出す見付け方向Ｘの移動が許容される。前面カバー７０は、見付け方向Ｘに移動させた後、室内側に向けて移動させることにより枠本体１１から取り外される。
【００４５】
以上のように、前面カバー７０は、枠本体１１に対する位置が保持される移動規制位置と、枠本体１１から取り外し可能な取外位置との間で、枠本体１１に対して長手方向に移動可能に構成されており、いわゆるケンドン式に枠本体１１に対して取り付けられている。
【００４６】
図５、図６に戻り、付勢部材７７は、第２位置保持部材７１の第１背面突出部７５Ａに対して取り付けられる平板状の取付部７７ａと、取付部７７ａに対して見付け方向Ｘの外側に設けられた中空状の本体部７７ｂと、を有する。取付部７７ａは、第１背面突出部７５Ａの一対の取付溝７８内に嵌め合わされることにより、第２位置保持部材７１に対して取り付けられる。付勢部材７７は、シリコンゴム等の弾性材料から構成される。
【００４７】
付勢部材７７は、前面カバー７０が移動規制位置にあるときに、所定の方向に前面カバー７０を付勢する。ここでいう所定の方向とは、嵌合溝部５７の窪んでいる方向をいい、嵌合溝部５７からの嵌合突部８１の抜き出しが防止される。本実施形態においては、側面カバー３０の背面３０ｃと第２位置保持部材７１の第２背面突出部７５Ｂとの間で本体部７７ｂが圧縮変形することにより、所定の方向に前面カバー７０が付勢されている。前面カバー７０を付勢する手段については特に限定せず、例えば、スプリングばね、板ばね等が用いられてもよい。
【００４８】
以上の構成の付勢部材７７により、第２位置保持部材７１の嵌合突部８１と受け部材５０の嵌合溝部５７や突起部５６との間に隙間があっても、付勢部材７７の付勢により、枠本体１１に対する前面カバー７０の見付け方向Ｘの位置が強固に保持される。また、外力等により前面カバー７０が移動規制位置から取外位置まで移動したときでも、前面カバー７０が枠本体１１から取り外れるのを防止できる。
【００４９】
本実施形態に係るサッシ枠１０によれば、側面カバー３０の室外側差込溝３１に対して、枠本体１１の差込突出部２５が差し込まれているため、側面カバー３０の日射等による反り、捻れ等の面外方向の変形が差込突出部２５により拘束され、側面カバー３０について強度に優れた構造となる。よって、側面カバー３０の見付け方向Ｘの長さを抑えつつも強度を確保できる。
【００５０】
また、前面カバー７０が枠本体１１に対していわゆるケンドン式に取り付けられているため、前面カバー７０の取付作業時の作業性に優れているうえ、前面カバー７０が枠本体１１から取り外れにくい。
【００５１】
また、側面カバー３０及び前面カバー７０は、枠本体１１に対して、ねじ、接着等により拘束された状態で固定されていない。このため、地震等によりカーテンウォール１が面内方向に変形したときでも、枠本体１１の変形に対して各カバー３０、７０の変形が抑えられ、各カバー３０、７０の破壊を防止できる。また、各カバー３０、７０について木製材料を用いたときでも、各カバー３０、７０の長手方向の伸縮変形による破壊を防止できる。また、各カバー３０、７０の表面にねじが露出しない構造となっており、意匠性に優れている。また、木製材料の各カバー３０、７０が腐ったときでも、金属製の枠本体１１を残してカバー３０、７０のみを簡単に交換できる。
【００５２】
また、分割枠１１Ａ、１１Ｂの見付け長さに変動が生じたときでも、一対の側面カバー３０が前面カバー７０に対して固定されていないため、前面カバー７０に対して側面カバー３０が見付け方向Ｘにずれることによりその変動を吸収できる。
【００５３】
以上、実施の形態に基づき本発明を説明したが、実施の形態は、本発明の原理、応用を示しているにすぎない。また、実施の形態には、請求の範囲に規定された本発明の思想を逸脱しない範囲において、多くの変形例や配置の変更が可能である。
【００５４】
上述の実施形態係るサッシ枠１０は、枠体２の縦枠３に適用された場合を例示したが、枠体２の横枠４に適用されていてもよい。また、枠本体１１は幅広部１９が設けられていなくともよい。また、側面カバー３０の背面突出部３７ｃは第１位置保持部材３７に設けられている場合を例示したが、側面カバー３０の背面に第１位置保持部材３７とは別に設けられていてもよい。また、側面カバー３０をねじにより枠本体１１に対して固定し、枠本体１１に対する側面カバー３０の取り付けのため受け部材５０を用いなくともよい。このときは、前面カバー７０を枠本体１１に対して公知の取り付け方法により取り付けてもよい。
【符号の説明】
【００５５】
１０：サッシ枠、１１：枠本体、１５：パネル取付部、２１：室内側面、２３：前面、２５：差込突出部、３０：側面カバー、３１：室外側差込溝、３３：室内側差込溝、３５：弾性部材、３７：第１位置保持部材、３７ｃ：背面突出部、３７ｅ：差込部、５０：受け部材、７０：前面カバー、７７：付勢部材
【図１】
2014145152.tif 000003
【図２】
2014145152.tif 000004
【図３】
2014145152.tif 000005
【図４】
2014145152.tif 000006
【図５】
2014145152.tif 000007
【図６】
2014145152.tif 000008
【図７】
2014145152.tif 000009